(57)【要約】      （修正有）【課題】プラグとアダプタの両方に自動的に開閉するシャッタ機構を備えた、安全性と防塵性に優れたシャッタ付き光コネクタを提供する。【解決手段】プラグ１００と、アダプタ２００とにより構成される光コネクタ１において、プラグ１００は挿入孔１１２を備え、挿入孔１１２にはプラグ側シャッタ１２０が設けられ、アダプタ２００は、アダプタ側シャッタ２２０を備えて構成され、プラグ１００の挿入孔１１２にアダプタ２００を挿入するとプラグ側シャッタ１２０及びアダプタ側シャッタ２２０がそれぞれ開口し、アダプタ２００をプラグ１００から抜去するとプラグ側シャッタ１２０及びアダプタ側シャッタ２２０を閉じるように構成されされている。【選択図】  図１
2004240162.tif 000002
【特許請求の範囲】
【請求項１】
光コネクタプラグに内装された光ファイバの光軸を開閉するためのプラグ側シャッタを備えた光コネクタプラグと、光コネクタアダプタに内装された光ファイバの光軸を開閉するためのアダプタ側シャッタを備えた光コネクタアダプタとにより構成されるシャッタ付き光コネクタであって、
前記光コネクタプラグと前記光コネクタアダプタとを嵌合したときに、前記プラグ側シャッタ又は前記アダプタ側シャッタのいずれか一方が開口し、次に、その開口した当該シャッタによって他方の前記アダプタ側シャッタ又は前記プラグ側シャッタを押し倒して開口するように構成されたことを特徴とするシャッタ付き光コネクタ。
【請求項２】
プラグ本体に設けられた挿入孔内に光コネクタアダプタを収容するようにして嵌合させると、前記光コネクタアダプタの先端縁部によって押し倒されて開口し、前記光コネクタアダプタから抜去すると、プラグ側シャッタ開閉補助手段により再び元の位置に戻って閉口することにより前記プラグ本体内に内装された光ファイバの光軸が開閉されるプラグ側シャッタを備えた光コネクタプラグと、
押し倒された前記プラグ側シャッタの先端縁部によって押圧されて開口し、前記光コネクタプラグが抜去されるとアダプタ側シャッタ開閉補助手段により再び元の位置に戻って閉口することによりアダプタ本体に内装された光ファイバの光軸が開閉されるアダプタ側シャッタを備えた光コネクタアダプタと、
を備えて構成されていることを特徴とするシャッタ付き光コネクタ。
【請求項３】
請求項２に記載のシャッタ付き光コネクタにおいて、
前記プラグ側シャッタは、
前記プラグ本体に内装された光ファイバの光軸を開閉するプラグ側遮蔽部を有すると共に、当該プラグ側遮蔽部の対辺縁部には、その対辺の端部近傍に、前記プラグ本体に開閉可能に取着するための一対の取付軸を備えて構成され、
前記光コネクタプラグの挿入孔に前記光コネクタアダプタを収容するようにして嵌合させると、前記光コネクタアダプタの先端縁部によって、前記プラグ側遮蔽部の一端側が押圧され、一対の前記取付軸を軸として、前記プラグ側シャッタが前記光コネクタアダプタ側に倒れて開口し、前記光コネクタプラグから前記光コネクタアダプタを抜去すると前記プラグ側シャッタ開閉補助手段によって再び元の位置に戻って前記プラグ側遮蔽部により閉口されるように構成されていることを特徴とするシャッタ付き光コネクタ。
【請求項４】
請求項２又は３に記載のシャッタ付き光コネクタにおいて、
前記アダプタ側シャッタは、
プラグ本体に内装される光ファイバの光軸を開閉するアダプタ側遮蔽部を有すると共に、当該アダプタ側遮蔽部の対辺縁部には、その対辺の端部近傍に、前記アダプタ本体に開閉可能に取着するための一対の取付軸を備えて構成され、
前記光コネクタプラグの挿入孔に前記光コネクタアダプタを収容するようにして嵌合させると、開口した前記プラグ側シャッタの先端縁部によって、前記アダプタ側遮蔽部の一端側が押圧され、一対の前記取付軸を軸として、前記アダプタ側シャッタが前記光コネクタプラグ側に倒れて開口し、前記光コネクタプラグから前記光コネクタアダプタを抜去すると前記アダプタ側シャッタ開閉補助手段によって再び元の位置に戻って前記アダプタ側遮蔽部により閉口されるように構成されていることを特徴とするシャッタ付き光コネクタ。
【請求項５】
請求項１〜４のいずれか１項に記載のシャッタ付き光コネクタにおいて、
前記プラグ側シャッタ開閉補助手段は、一端が前記プラグ本体に取付けられると共に、他端が前記プラグ側シャッタに取付けられるばね部材により構成され、
前記光コネクタアダプタの先端縁部により前記プラグ側遮蔽部の一端側が押圧されて前記プラグ側シャッタが前記光コネクタアダプタ側に倒れて開口すると、前記ばね部材が圧縮されて前記プラグ側シャッタを閉口する方向に力が作用した状態で開口し、前記光コネクタプラグを抜去すると、前記ばね部材の圧縮が解除されて前記プラグ側シャッタを引き起こすようにして閉口するように構成されていることを特徴とするシャッタ付き光コネクタ。
【請求項６】
請求項１〜４のいずれか１項に記載のシャッタ付き光コネクタにおいて、
前記アダプタ側シャッタ開閉補助手段は、一端が前記アダプタ本体に取付けられると共に、他端が前記アダプタ側シャッタに取付けられるばね部材により構成され、
開口した前記プラグ側シャッタの先端縁部によって前記アダプタ側遮蔽部の一端側が押圧され、前記アダプタ側シャッタが前記光コネクタプラグ側に倒れて開口すると、前記ばね部材が圧縮されて前記アダプタ側シャッタを閉口する方向に力が作用した状態で開口し、前記光コネクタプラグを抜去すると、前記ばね部材の圧縮が解除されて前記アダプタ側シャッタを引き起こすようにして閉口するように構成されていることを特徴とするシャッタ付き光コネクタ。
【発明の詳細な説明】
【０００１】
【発明の属する技術分野】
本発明は、光コネクタに関し、さらに詳細には、光コネクタ用アダプタとプラグの双方に相互に嵌合させたときに自動的に開口し、単独では開口しないシャッタを備えたシャッタ付き光コネクタに関する。
【０００２】
【従来の技術】
近年、通信技術の発展は著しく、ＩＴ産業における企業間の競争が激化している。従来、一般の電話回線を用いて、家庭用電話と同周波数帯域でのデータ通信がおこなわれていたが、さらに高速の通信速度が要求されるようになると、より高い周波数帯域を利用したＡＤＳＬ等が出現し広く普及している。しかし、ＩＴ関連企業における現在及び将来の通信ネットワーク構想として、インターネットテレビやＩＰ電話等があり、これらのより大きなデータ通信をおこなうには、従来の電話回線を用いた通信網では対応できず、一般の電話回線を用いた通信よりも大きなデータ通信が行える光ファイバを利用した通信網が開発及び実用化され、今後急速に普及するものと予想される。
【０００３】
しかし、その反面、光ファイバで伝達される光エネルギーは大きく、その光を直視すると、眼の網膜に悪影響を及ぼし、時には失明する危険性もある。今後、このような光ファイバが一般家庭に普及した場合に、危険意識が低い子供がいじってプラグを覗き込んで光を直視する可能性もあり、どのようにして安全性を保障するかといった技術的な問題がある。
【０００４】
そこで、従来、光ファイバと他の光ファイバとを接続したり、パソコン等の電子機器とを接続するために光ファイバの端末に取付けられるコネクタにシャッタ機構を設け、伝達される光が直接外部に漏洩しない構造としたコネクタが考えられ特許出願されている。
特許文献１に記載の発明もその１つであり、受光プラグ挿抜によりシャッタの開閉が自動的に行われるシャッタ付光コネクタに関するものである。特許文献１には、放射側光ジャックと受光側プラグとがハウジングの挿入孔内で当接し光結合するコネクタにおいて、挿入孔の始端部に設けられた磁性体が固着されたガイドに、受光側光プラグに押されて始端部と終端部との間で水平方向に摺動可能にされた磁石と、始端部がガイド溝の終端部に連通し、ガイド溝と直行する垂直ガイド溝があり、当該ガイド溝にはシャッタ付磁石が上下方向に摺動可能に設けられているものである。受光側光プラグが挿入されていない場合には、磁石は始端側の磁性体側にあり、シャッタ付磁石は自重により、垂直に配設されたガイド始端側に位置し、シャッタにより、挿入孔は遮断されている。受光側光プラグを挿入すると、該受光側光プラグに押されて磁石が終端側に移動し、それに追従して磁力の反力によりシャッタ付磁石は垂直ガイド溝にそって、垂直ガイド溝の終端部に移動し、挿入孔は開通する。受光側光プラグを抜くと、該プラグに設けられた磁性体によって、磁石がガイド溝始端側まで引っ張られ、シャッタ付磁石が再び垂直ガイド溝の始端部に移動し、挿入穴を遮断し、これにより、使用者が受光側光プラグを挿抜すると、ハウジングに設けられたシャッタが自動的に開閉するシャッタ付光コネクタが開示されている。
また、特許文献２に記載の発明は、光レセプタクルを取付けるマウントと光センサを内蔵するホルダを簡易に着脱するロック機構と、光センサの受光を遮断するシャッタ機構を備える光コネクタ用アダプタである。特許文献２には、マウントとホルダが一対の爪と一対の螺旋状突起で結合され、シャッタは光レセプタクルとマウント間に移動可能に保持されており、シャッタを所定の方向に移動することにより、光ファイバの出射光を遮断または通過させ、プラグを外すことなくオフセットすることができる光コネクタ用アダプタが開示されている。
さらに、特許文献３に記載の発明は、光コネクタプラグを結合アダプタから引き抜いた状態において、光を外部に露出させない多心光コネクタに関するものである。特許文献３には、光コネクタプラグの先端部の外周部にプラグシャッタが取付けられ、プラグシャッタはコイルバネによって、非嵌合時はプラグシャッタが閉じられるように付勢されており、光軸を遮蔽している。光コネクタプラグを結合アダプタに挿入すると、プラグシャッタの上方に張り出した梁部が結合アダプタの挿入孔外周部に押されることにより、プラグシャッタが開かれて光軸が開放される多心光コネクタが開示されている。
【０００５】
【特許文献１】
特開平５―０９３８２１号公報  （第２〜４頁、第１、第６，７図）
【特許文献２】
特開平８―２６２２７８号公報  （第２、３頁、第１、２図）
【特許文献３】
特開平１０―３００９８５号公報  （第２〜４頁、第１、２図）
【０００６】
しかし、特許文献１に記載の発明は、シャッタがハウジング側にしか設けられていないので、ジャックを交換する等の理由で、ジャックを取り外した場合に、作業者が光を直視してしまう恐れがあり、十分な安全性が保障されているとは言い難い。また、磁力の作用を利用した、磁石の摺動移動による開閉機構としているため、磁石を取付けるためのスペースや摺動移動のためのスペース等が必要となり、構造が小型化するのが難しい等の問題がある。
また、特許文献２に記載の発明も同様に、プラグ付き光ファイバにシャッタ機構が設けられていないので、光レセプタクルからプラグを取り外した場合に、作業者が光を直視してしまう危険性があり、十分な安全性が保障されていないという問題がある。
最後に、特許文献３に記載の発明では、機構が簡単で構造を小型にできるが、光を遮蔽するシャッタが光コネクタプラグ側にしか設けられておらず、光コネクタプラグを結合アダプタに挿入した場合に、プラグシャッタは開かれた状態となり、例えば、使用者が結合アダプタの他端側から覗いた場合に、光を直視してしまう危険性がある。また、プラグシャッタはコイルバネによって開閉可能に設けられているので、一般家庭で子供等が指でプラグシャッタを持ち上げて開くことができ、十分な安全性が保障されているとは言えない。
【０００７】
【発明が解決しようとする課題】
そこで、本発明は以上のような問題点を解決するものであり、光コネクタ用アダプタ及びプラグにそれぞれシャッタを設け、相互に嵌合させることにより自動的に開閉するシャッタを備え、それぞれ単独ではシャッタが開閉しない機構とし、安全性と防塵性に優れたシャッタ付き光コネクタを提供することを目的とする。
【０００８】
【課題を解決するための手段】
上記課題を解決するために、請求項１に記載の発明は、光コネクタプラグに内装された光ファイバの光軸を開閉するためのプラグ側シャッタを備えた光コネクタプラグと、光コネクタアダプタに内装された光ファイバの光軸を開閉するためのアダプタ側シャッタを備えた光コネクタアダプタとにより構成されるシャッタ付き光コネクタであって、光コネクタプラグと光コネクタアダプタとを嵌合したときに、プラグ側シャッタ又はアダプタ側シャッタのいずれか一方が開口し、次に、その開口したシャッタによって他方のアダプタ側シャッタ又はプラグ側シャッタを押し倒して開口するように構成されたことを特徴とする。
【０００９】
上記課題を解決するために、請求項２に記載の発明は、プラグ本体に設けられた挿入孔内に光コネクタアダプタを収容するようにして嵌合させると、光コネクタアダプタの先端縁部によって押し倒されて開口し、光コネクタアダプタから抜去すると、プラグ側シャッタ開閉補助手段により再び元の位置に戻って閉口することによりプラグ本体内に内装された光ファイバの光軸が開閉されるプラグ側シャッタを備えた光コネクタプラグと、押し倒されたプラグ側シャッタの先端縁部によって押圧されて開口し、光コネクタプラグが抜去されるとアダプタ側シャッタ開閉補助手段により再び元の位置に戻って閉口することによりアダプタ本体に内装された光ファイバの光軸が開閉されるアダプタ側シャッタを備えた光コネクタアダプタと、を備えて構成されていることを特徴とする。
【００１０】
上記課題を解決するために、請求項３に記載の発明は、請求項２に記載のシャッタ付き光コネクタにおいて、プラグ側シャッタは、プラグ本体に内装された光ファイバの光軸を開閉するプラグ側遮蔽部を有すると共に、プラグ側遮蔽部の対辺縁部には、その対辺の端部近傍に、プラグ本体に開閉可能に取着するための一対の取付軸を備えて構成され、光コネクタプラグの挿入孔に光コネクタアダプタを収容するようにして嵌合させると、光コネクタアダプタの先端縁部によって、プラグ側遮蔽部の一端側が押圧され、一対の取付軸を軸として、プラグ側シャッタが光コネクタアダプタ側に倒れて開口し、光コネクタプラグから光コネクタアダプタを抜去するとプラグ側シャッタ開閉補助手段によって再び元の位置に戻ってプラグ側遮蔽部により閉口されるように構成されていることを特徴とする。
【００１１】
上記課題を解決するために、請求項４に記載の発明は、請求項２又は３に記載のシャッタ付き光コネクタにおいて、アダプタ側シャッタは、プラグ本体に内装される光ファイバの光軸を開閉するアダプタ側遮蔽部を有すると共に、アダプタ側遮蔽部の対辺縁部には、その対辺の端部近傍に、アダプタ本体に開閉可能に取着するための一対の取付軸を備えて構成され、光コネクタプラグの挿入孔に光コネクタアダプタを収容するようにして嵌合させると、開口したプラグ側シャッタの先端縁部によって、アダプタ側遮蔽部の一端側が押圧され、一対の取付軸を軸として、アダプタ側シャッタが光コネクタプラグ側に倒れて開口し、光コネクタプラグから光コネクタアダプタを抜去するとアダプタ側シャッタ開閉補助手段によって再び元の位置に戻ってアダプタ側遮蔽部により閉口されるように構成されていることを特徴とする。
【００１２】
上記課題を解決するために、請求項５に記載の発明は、請求項１〜４のいずれか１項に記載のシャッタ付き光コネクタにおいて、プラグ側シャッタ開閉補助手段は、一端がプラグ本体に取付けられると共に、他端がプラグ側シャッタに取付けられるばね部材により構成され、光コネクタアダプタの先端縁部によりプラグ側遮蔽部の一端側が押圧されてプラグ側シャッタが光コネクタアダプタ側に倒れて開口すると、ばね部材が圧縮されてプラグ側シャッタを閉口する方向に力が作用した状態で開口し、光コネクタプラグを抜去すると、ばね部材の圧縮が解除されてプラグ側シャッタを引き起こすようにして閉口するように構成されていることを特徴とする。
【００１３】
上記課題を解決するために、請求項６に記載の発明は、請求項１〜４のいずれか１項に記載のシャッタ付き光コネクタにおいて、アダプタ側シャッタ開閉補助手段は、一端がアダプタ本体に取付けられると共に、他端がアダプタ側シャッタに取付けられるばね部材により構成され、
開口したプラグ側シャッタの先端縁部によってアダプタ側遮蔽部の一端側が押圧され、アダプタ側シャッタが光コネクタプラグ側に倒れて開口すると、ばね部材が圧縮されてアダプタ側シャッタを閉口する方向に力が作用した状態で開口し、光コネクタプラグを抜去すると、ばね部材の圧縮が解除されてアダプタ側シャッタを引き起こすようにして閉口するように構成されていることを特徴とする。
【００１４】
【発明の実施の形態】
以下、本発明に係るシャッタ付き光コネクタを図面に基づいて詳細に説明する。
図１は本願発明に係る光コネクタプラグと光コネクタアダプタの嵌合状態を表す断面側面図である。
まず、本発明に係るシャッタ付き光コネクタ１は、図１に示すように光コネクタプラグ１００と、光コネクタアダプタ２００とを備えて構成されている。
【００１５】
光コネクタプラグ１００は、図２に示すように、プラグ本体１１０と、プラグ本体１１０に開閉可能に内設されたプラグ側シャッタ１２０と、プラグ側シャッタ１２０を開閉させるためのプラグ側シャッタ開閉補助手段１４０と、プラグ本体１１０後端から導入される図示しない光ファイバを挿通するフェルール３００と、フェルール３００をプラグ本体１１０の先端側に向けて押し付け力を発生させるためのバネ３１０とを備えて構成されている。
【００１６】
プラグ本体１１０は、断面略中空四角形状で樹脂製又は金属製の部材である。プラグ本体１１０は、光コネクタアダプタ２００を挿入する挿入孔１１２と、プラグ側シャッタ１２０を開閉可能に取付ける取付部１１４と、光コネクタアダプタ２００と嵌合したときにアダプタ側スリーブ２１６を収容するスリーブ収容部１１６と、とプラグ側シャッタ１２０が閉口したときにそのプラグ側シャッタ１２０の一端側と当接し、プラグ側シャッタ１２０がフェルール３００側に倒れるのを阻止するシャッタ当接部１１７と、光コネクタアダプタ２００と嵌合したときに光コネクタアダプタ２００と係止させるためのプラグ側係止部１１８と、挿入孔１１２に進入した光コネクタアダプタ２００を案内し、かつその先端側を収容するアダプタガイド溝１１９とが設けられている。
【００１７】
プラグ側シャッタ１２０は、樹脂製又は金属製の板状部材である。プラグ本体１１０の取付部１１４に可動可能に取付けられるための回転軸部１２２と、プラグ本体１１０に設けられているシャッタ当接部１１７と当接してプラグ側シャッタ１２０がフェルール３００側に倒れるのを防止するプラグ当接部１２４と、図示しない光ファイバの光軸を遮蔽する遮蔽部１２６と、光コネクタアダプタ２００が進入したときに、プラグ側シャッタ１２０を押し倒して開口するために光コネクタアダプタ２００の先端側で押圧される押圧部１２８とを備えて構成される。
【００１８】
プラグ側シャッタ開閉補助手段１４０は、金属製のバネ部材である。一端側はプラグ本体１１０に設けられた取付部１１４に固定されるプラグ本体固定端１４２と、他端はプラグ側シャッタ１２０に固定されるプラグ側シャッタ固定端１４４とを備えて構成され、光コネクタプラグ１００単体では、プラグ側シャッタ１２０を図４又は図６に示すＥ方向に引き上げる力を与えるように構成されている。
【００１９】
プラグ側シャッタ１２０は、図６に示すように、プラグ本体１１０の取付部１１４にプラグ側シャッタ１２０の回転軸部１２２が可動可能に軸止されている。また、プラグ側シャッタ開閉補助手段１４０のプラグ本体固定端１４２はプラグ本体１１０の底部より突起した塀状部分に固定され、プラグ側シャッタ固定端１４４はプラグ側シャッタ１２０の遮蔽部１２６の近傍に固定されており、プラグ側シャッタ１２０単体では、プラグ側シャッタ開閉補助手段１４０によって、プラグ側シャッタ１２０には常にフェルール３００側に引き起こすように引っ張り力が与えられるが、プラグ側シャッタ１４０の遮蔽部１２６が略垂直の位置において、シャッタ当接部１１７とプラグ側シャッタ１２０に設けられたプラグ当接部１２４とが当接して、プラグ側シャッタ１２０がそれ以上、フェルール３００側に倒れるのを阻止していると共に、空間を密閉し防塵を行っている。
プラグ側シャッタ１２０の押圧部１２８を図４又は図６に示すＣ方向に押圧すると、プラグ側シャッタ１２０は図４又は図６に示すＤ方向に倒れ、プラグ側シャッタ１２０を開口することができる。以上の構造を有することにより、使用者がプラグ側シャッタ１２０を開口するためには、先端極細の部材等により、意識的にプラグ側シャッタ１２０に設けられている押圧部１２８を所定の力以上の力で押圧しなければならず、通常の使用状態ではプラグ側シャッタ１２０を開口することはできないので、使用者は図示しない光ファイバの光を直視してしまう危険性は極めて低い。
【００２０】
光コネクタアダプタ２００は、図３に示すように、アダプタ本体２１０と、アダプタ本体２１０に開閉可能に内設されたアダプタ側シャッタ２２０と、アダプタ側シャッタ２２０を開閉させるためのアダプタ側シャッタ開閉補助手段２４０と、アダプタ本体２１０内に光ファイバを内包するフェルール３５０とを備えて構成されている。
【００２１】
アダプタ本体２１０は、断面略中空四角形状で樹脂製又は金属製の部材である。アダプタ本体２１０は、プラグ本体１１０に設けられている挿入孔１１２に挿入されて、プラグ側シャッタ１２０に設けられた押圧部１２８を押圧する押圧辺２１１と、プラグ本体１１０のフェルール３００を収容する収容部２１２と、アダプタ側シャッタ２２０を開閉可能に取付ける取付部２１４と、フェルール３５０を収容するためのアダプタ側スリーブ２１６と、アダプタ側スリーブ２１６の先端側に位置するシャッタ当接部２１７と、光コネクタプラグ１００と嵌合したときに光コネクタプラグ１００と係止させるためのアダプタ側係止部２１８と、光コネクタプラグ１００を挿入したときに、その先端側を案内すると共に、押し倒されて開口したプラグ側シャッタ１２０が進入してきたときに、そのプラグ側シャッタ１２０を収容するプラグガイド溝２１９とが設けられている。
【００２２】
アダプタ側シャッタ２２０は、樹脂製又は金属製の板状部材である。アダプタ本体２１０に設けられた取付部２１４に可動可能に取付けるための回転軸部２２２と、アダプタ本体２１０に設けられているシャッタ当接部２１７と当接するアダプタ当接部２２４と、図示しない光ファイバの光軸を遮蔽する遮蔽部２２６と、挿入した光コネクタプラグ１００のプラグ本体１１０に形成されているスリーブ収容部１１６によって押圧される押圧部２２８とを備えて構成される。
【００２３】
アダプタ側シャッタ開閉補助手段２４０は、金属製のバネ部材である。その一端側はアダプタ本体２１０に設けられた取付部２１４に固定されるアダプタ本体固定端２４２と、他端はアダプタ側シャッタ２２０に固定されるアダプタ側シャッタ固定端２４４とを備えて構成され、光コネクタアダプタ２００単体では、アダプタ側シャッタ２２０を図４又は図７に示すＨ方向に移動させる力を発生させるように構成されている。
【００２４】
アダプタ側シャッタ２２０は、図７に示すように、アダプタ本体２１０の取付部２１４にアダプタ側シャッタ２２０の回転軸部２２２が可動するように取付られている。また、アダプタ側シャッタ開閉補助手段２４０に設けられているアダプタ本体固定端２４２はアダプタ本体２１０の取付部２１４に固定され、アダプタ側シャッタ固定端２４４はアダプタ側シャッタ２２０の遮蔽部２２６の近傍に固定されており、アダプタ側シャッタ２２０単体では、アダプタ側シャッタ開閉補助手段２４０によって、常にフェルール３５０側に引き起こすように引っ張り力が与えられるが、アダプタ側シャッタ２４０の遮蔽部２２６が略垂直の位置において、アダプタ本体２１０に設けられたシャッタ当接部２１７とアダプタ側シャッタ２２０に設けられたアダプタ当接部２２４とが当接して、アダプタ側シャッタ２２０がそれ以上、フェルール３５０側に倒れるのを阻止していると共に、空間を密閉し防塵を行っている。
アダプタ側シャッタ２２０の押圧部２２８を図４又は図７に示すＦ方向に押圧すると、アダプタ側シャッタ２２０は図４又は図７に示すＧ方向に倒れ、アダプタ側シャッタ２２０を開口することができる。以上の構造を有することにより、使用者がアダプタ側シャッタ２２０を開口するためには、先端極細の部材により、意識的にアダプタ側シャッタ２２０に設けられている押圧部２２８を所定の力以上の力で押圧しなければならず、通常の使用状態ではアダプタ側シャッタ２２０を開口することはできないので、使用者は図示しない光ファイバの光を直視してしまう危険性は極めて低い。
【００２５】
次に、本発明に係る光コネクタプラグと光コネクタアダプタとの嵌合から抜去までの手順を図１、図４〜７に基づいて説明する。
まず、光コネクタプラグ１００に光コネクタアダプタ２００を挿入すると、光コネクタアダプタ２００の先端側に設けられた押圧辺２１１がプラグ本体１１０に内設されたプラグ側シャッタ１２０の押圧部１２８を図４又は図６に示すＣ方向に押圧する。そして、プラグ側シャッタ開閉補助手段１４０によるプラグ側シャッタ１２０を同図に示すＥ方向に引き起こすように作用する引っ張り力に打ち勝って、さらにアダプタ本体２１０を進入させると、プラグ側シャッタ１２０の遮蔽部１２６は同図に示すＤ方向に倒れて開口し、押圧辺２１１はプラグ本体１１０に形成されたアダプタガイド溝１１９に収容される。
次に、先に倒れたプラグ側シャッタ１２０の遮蔽部１２６の一端側に設けられたプラグ当接部１２４がアダプタ側シャッタ２２０に設けられた押圧部２２８を図４又は図７に示すＦ方向に押圧する。そして、アダプタ側シャッタ開閉補助手段２４０によるアダプタ側シャッタ２２０を同図に示すＨ方向に引き起こすように作用する引っ張り力に打ち勝って、さらに、アダプタ本体２１０を進入させると、アダプタ側シャッタ２２０の遮蔽部２２６は図５又は図７に示すＧ方向に倒れて開口し、プラグ当接部１２４はアダプタ本体２１０に形成されたプラグガイド溝２１９に収容され、その後、プラグ本体１１０に設けられたプラグ係止側部１１８とアダプタ本体２１０に設けられたアダプタ側係止部２１８とが係合してそれぞれ嵌合する。
【００２６】
次に、光コネクタアダプタ２００を光コネクタプラグ１００から抜去する場合は、プラグ本体１１０に設けられたプラグ係止側部１１８とアダプタ本体２１０に設けられたアダプタ側係止部２１８との嵌合状態を解除し、光コネクタアダプタ２００を図１に示すＢ方向に引き抜くと、アダプタ側シャッタ２２０の押圧部２２８を押圧していたプラグ側シャッタ１２０の当接部１２４が押圧部２２８から離れると共にアダプタ側シャッタ開閉補助手段２４０による引っ張り力により、アダプタ側シャッタ２００の遮蔽部２２６は図５又は図７に示すＨ方向に引き起こされてアダプタ側シャッタ２２０は閉口する。さらに、光コネクタアダプタ２００を引き抜くと、プラグ側シャッタ１２０の押圧部１２８を押圧していたアダプタ本体２１０に設けられた押圧辺２１１が押圧辺１２８から離れると共にプラグ側シャッタ開閉補助手段１４０による引っ張り力によりプラグ側シャッタ１２０は図４又は図６に示すＥ方向に引き起こされてプラグ側シャッタ１２０は閉口する。
上記の説明のように、光コネクタプラグ１００と光コネクタアダプタ２００とを挿抜することにより、プラグ側シャッタ１２０とアダプタ側シャッタ２２０は自動的に開閉し、本願シャッタ付き光コネクタの使用者は、図示しない光ファイバの光を直視すること無く、安全に取り扱うことができると共に、プラグ側シャッタ１２０に本来のシャッタ機構としての役割を果たすと共にシャッタ開閉機構をも構成したため、シャッタ構造の省スペース化が実現できた。
【発明の効果】
以上、説明したように、本発明に係るシャッタ付き光コネクタによれば、光コネクタプラグと光コネクタアダプタの双方にシャッタを設けると共に、それぞれを嵌合させた場合のみ自動的にそれぞれのシャッタの開閉をすることができる構造とした。これにより使用者が無理にシャッタを明けようとしても開口せず、また間違って直視することも無いため、非常に安全性が高いという効果がある。
【００２７】
また、シャッタの開閉機構を光コネクタプラグに設けられたプラグ側シャッタが兼ねることによって、シャッタ開閉用の部材を別途必要としないため、光コネクタが小型化できるという効果がある。
【００２８】
【図面の簡単な説明】
【図１】は本願発明に係る光コネクタプラグと光コネクタアダプタとの嵌合状態を表す断面側面図である。
【図２】（ａ）は本願発明に係る光コネクタプラグの断面側面図である。（ｂ）はその正面図である。
【図３】（ａ）は本願発明に係る光コネクタアダプタの正面図である。（ｂ）はその底面図である。
【図４】は本願発明に係る光コネクタプラグと光コネクタアダプタとの挿入前の状態を表す断面側面図である。
【図５】は本願発明に係る光コネクタプラグと光コネクタアダプタとの挿入初期の状態を現す断面側面図である。
【図６】は本願発明に係る光コネクタプラグに設けられたプラグ側シャッタ開閉補助手段を表す概略斜視図である。
【図７】は本願発明に係る光コネクタアダプタに設けられたアダプタ側シャッタ開閉補助手段を表す概略斜視図である。
【符号の説明】
１  シャッタ付き光コネクタ
１００  光コネクタプラグ
１１０  プラグ本体
１１２  挿入孔
１１４  取付部
１１６  スリーブ収容部
１１７  シャッタ当接部
１１８  プラグ側係止部
１１９  アダプタガイド溝
１２０  プラグ側シャッタ
１２２  回転軸部
１２４  プラグ当接部
１２６  遮蔽部
１２８  押圧部
１４０  プラグ側シャッタ開閉補助手段
１４２  プラグ本体固定端
１４４  プラグ側シャッタ固定端
２００  光コネクタアダプタ
２１０  アダプタ本体
２１１  押圧辺
２１２  収容部
２１６  アダプタ側スリーブ
２１７  シャッタ当接部
２１８  アダプタ側係止部
２１９  プラグガイド溝
２２０  アダプタ側シャッタ
２２２  回転軸部
２２４  アダプタ当接部
２２６  遮蔽部
２２８  押圧部
２４０  アダプタ側シャッタ開閉補助手段
２４２  アダプタ本体固定端
２４４  アダプタ側シャッタ固定端
３００  フェルール
３１０  バネ
３５０  フェルール
【図１】
2004240162.tif 000003
【図２】
2004240162.tif 000004
【図３】
2004240162.tif 000005
【図４】
2004240162.tif 000006
【図５】
2004240162.tif 000007
【図６】
2004240162.tif 000008
【図７】
2004240162.tif 000009